(57)【特許請求の範囲】
【請求項１】
温風機本体に、ヒーターと、前記ヒーターで加熱された温風を送風する送風ファンと、前記送風ファンからの温風を吹出口に直進するように導く温風ダクトと、加湿装置と、前記温風ダクトの途中からバイパスされ前記加湿装置を介して設けられ、前記温風ダクトと直交するように導く加湿ダクトと、前記吹出し口手前に混合部を有し、前記混合部内で温風と湿風との合流角度をほぼ９０度とする加湿機能付き温風機。
【請求項２】
前記温風ダクトと前記加湿ダクトの分岐部に前記送風ファンからの温風の送風路を切替える送風路切替手段を設け、加湿時には温風流路を狭くして温風流速を速くする請求項１記載の加湿機能付き温風機。
【請求項３】
前記加湿装置を、水槽を有した加湿トレーと、この加湿トレーの水槽の水を吸い上げるように設けられる加湿フィルターとにより形成し、前記加湿フィルターの通風路の出入り口を直交させるとともに、前記吹出し口を前記加湿フィルターの直近上部に設けた請求項１又は２記載の加湿機能付き温風機。
【請求項４】
前記送風切替手段を制御する制御手段を設け、前記制御手段は加湿温風運転時、送風路切替手段をある時間間隔ごとに作動させる請求項２又は３記載の加湿機能付き温風機。
【発明の詳細な説明】
【０００１】
【発明の属する技術分野】
本発明は加湿機能付きの温風機に関するものである。
【０００２】
【従来の技術】
従来の加湿機能付き温風機は、温風の吹出し口と温風の吹出し口が各々別々に形成されたもので、直接人に当たる温風は低湿のため、肌が乾燥するとともに、チリチリと熱く、不快な感じを覚えるという欠点を有していた。そのため温風と湿風の吹出し口を同じにする、特開平４−４３２４１が考案されている。
【０００３】
この発明は図６に示すように、ダンパー１０６の通路切替操作により上側または下側に通風路が形成される。ここで下側の通風路を通過するようにダンパー１０６を操作すると、加熱空気はヒータダクト１０４内に設けられた水受け１０７の溜水１０８表面に接触し、さらにダンパー１０６に付設した吸水フィルター１０９を通過することにより、加湿温風として温風吹出し口１１０から室内に吹出される。また上側の通風路を通過するようにダンパー１０６を操作するとそのまま温風として温風吹出し口１１０から室内に吹出されるように構成されていた。
【０００４】
【発明が解決しようとする課題】
このような従来の加湿機能付き温風機では、下側の通風路に発熱体１０５により加熱された温風を流すときには、ダンパー１０６の切替により吸水フィルター１０９を介して加湿された加湿温風が、上側の通風路に温風を流すときは、ダンパー１０６の切替により温風のみが送風されるもので、何れも同一量の温風が送風されることにより、加湿温風時には吸水フィルター１０９が抵抗となり吹出し風量が減少し、使用者まで届きにくいという課題がある。さらに加湿温風時の吹出し風量を確保するため、吸水フィルター１０９を介さない温風も吹出すようにした場合、吹出しの上側は温風（高温低湿）、下側は加湿温風（低温高湿）となり、温度差のある不快な吹出し風になるという課題があり、加湿温風時の吹出し風量を確保するとともに、温度むらのない、心地良い加湿温風が要求されている。
【０００５】
本発明は、このような従来の課題を解決するものであり、加湿温風時の吹出し風量を確保するとともに、温度むらのない、心地良い加湿温風を吹出すことができる加湿機能付き温風機を提供することを目的としている。
【０００６】
【課題を解決するための手段】
本発明の加湿機能付き温風機は上記目的を達成するために、温風機本体に、ヒーターと、前記ヒーターで加熱された温風を送風する送風ファンと、前記送風ファンからの温風を吹出口に直進するように導く温風ダクトと、加湿装置と、前記温風ダクトの途中からバイパスされ加湿装置を介して設けられ、前記温風ダクトと直交するように導く加湿ダクトと、前記吹出し口手前に混合部を有し、前記混合部内で温風と湿風との合流角度をほぼ９０度とする構成としたものである。
【０００７】
本発明によれば、温度むらのない、心地良い加湿温風を吹出すことができる。
【０００８】
また他の手段は、前記温風ダクトと前記加湿ダクトの分岐部に前記送風ファンからの温風の送風路を切替える送風路切替手段を設け、加湿時には温風流路を狭くして温風流速を速くするものである。
【０００９】
本発明によれば、バイパス及び加湿フィルターを通過した湿風の遅い流速を、狭い流路を通過した温風の速い流速が補い、加湿温風時の吹出し風速を確保でき、加湿温風効果を遠方（使用者の位置）まで届かせることができる。
【００１０】
また他の手段は、加湿フィルターの通風路の出入り口を直交させるとともに、吹出し口を加湿フィルターの直近上部に設けたものである。
【００１１】
そして、本発明によれば加湿フィルター通過時の抵抗が少ないため、通過後の湿風の流速があまり遅くならず、さらに吹出し口が加湿フィルターの上部に有るため、加湿温風を手や顔の近くまで吹出すことができる。
【００１２】
また他の手段は、前記制御手段は加湿温風運転時、送風路切替手段をある時間間隔ごとに作動させるようにしたものである。
【００１３】
そして、本発明によれば加湿温風時に加湿量を多くしたり少なくしたりすることができる。
【００１４】
【発明の実施の形態】
本発明は、温風機本体に、ヒーターと、前記ヒーターで加熱された温風を送風する送風ファンと、前記送風ファンからの温風を吹出口に直進するように導く温風ダクトと、加湿装置と、前記温風ダクトの途中からバイパスされ加湿装置を介して設けられ、前記温風ダクトと直交するように導く加湿ダクトと、前記温風ダクトと加湿ダクトの分岐部に送風ファンからの温風の送風路を切替える送風路切替手段を設け、加湿時には温風流路を狭くして温風流速を速くする構成としたことにより、加湿温風時の吹出し風量を確保し、また吹出し口手前に混合部を有し、前記混合部内で温風と湿風との合流角度をほぼ９０度とする構成としたことにより、温度むらのない加湿温風を吹出し、また加湿フィルターの通風路の出入り口を直交させるとともに、吹出し口を加湿フィルターの直近上部に設けたことにより、加湿温風を手や顔の近くまで吹出すことができ、また制御手段は加湿温風運転時、送風路切替手段をある時間間隔ごとに作動させるようにしたことにより、加湿温風時に加湿量を多くしたり少なくしたりすることができ、加湿温風のしっとり感を実感できるという作用を有する。
【００１５】
以下、本発明の実施例について図面を参照しながら説明する。
【００１６】
【実施例】
（実施例１）
図１に示すように、温風機本体１には、ヒーター２と、前記ヒーター２で加熱された温風を送風する送風ファン３と、前記送風ファン３からの温風を吹出口４に導く温風ダクト５と、加湿装置６と、前記温風ダクトの途中からバイパスされ加湿装置６を介して設けられる加湿ダクト７と、前記温風ダクトと加湿ダクトの分岐部に送風ファンからの温風の送風路を切替える送風路切替手段８とを有している。
【００１７】
上記構成において、加湿温風運転時、送風路切替手段８を図の点線に示すような位置に配し、ヒーター２で加熱された温風のほとんどを加湿ダクト７に流すとともに、温風ダクト５の一部に開口部１０を形成し、風速の速い温風を吹出し口４へ流す。この温風は吹出し口４の手前で、加湿ダクト７を通り加湿装置６で加湿された湿風と合流し、風速の遅い湿風の風速を速め、吹出し口４から加湿温風として吹出される。
【００１８】
また加湿ダクト７により加湿装置６に導かれた湿風は、吹出し口４の手前で、温風とほぼ角度９０°で合流させており、混合が促進されている。
【００１９】
また加湿フィルターの通風路の出入り口を直交させるとともに、吹出し口を加湿フィルターの直近上部に設けたことにより、加湿フィルター通過時の抵抗が少ないため、通過後の湿風の流速があまり遅くならず、さらに吹出し口が加湿フィルターの上部に有るため、加湿温風を手や顔の近くまで吹出すことができる。
【００２０】
実際に加湿温風が手や顔の近くまで届いているかどうか、実使用状態で確認したので、図２〜３を用いて説明する。図２のように被験者は製品前方約５０ｃｍに膝が位置するように椅座し、加湿温風及び温風運転を各１５分間体感する。測定項目は角質層水分率で、測定器はモイスチャーチェッカー（スカラ（株）製）、測定部位は左前腕内側で、体感時は腕まくりして露出した。前腕内側の角質層水分率の運転前後での変化の結果を図３に示す。被験者７人の平均で、温風では３５．４％から３５．２％と減ったのに対し、加湿温風では３４．６％から３５．９％と増え、加湿温風が手や顔の近くまで届いているのが分かる。
【００２１】
このように本発明の実施例１の加湿機能付き温風機によれば、温風機本体１に、ヒーター２と、前記ヒーター２で加熱された温風を送風する送風ファン３と、前記送風ファン３からの温風を吹出口４に導く温風ダクト５と、加湿装置６と、前記温風ダクトの途中からバイパスされ加湿装置６を介して設けられる加湿ダクト７と、前記温風ダクトと加湿ダクトの分岐部に送風ファンからの温風の送風路を切替える送風路切替手段８とを有している構成とし、加湿時には温風流路を狭くして温風流速を速くしたので、温風は吹出し口４の手前で、加湿ダクト７を通り加湿装置６で加湿された湿風と合流し、風速の遅い湿風の風速を速め、吹出し口４から加湿温風として吹出され、湿風のみに比べ吹出し風速は速くなり、加湿温風効果を遠方（使用者の位置）まで届かせることができる。
【００２２】
また加湿ダクト７により加湿装置６に導かれた温風は、吹出し口４の手前で、温風とほぼ角度９０°で合流させており、混合が促進されているので、温度むらのない、心地良い加湿温風を吹出すことができる。
【００２３】
また加湿フィルターの通風路の出入り口を直交させるとともに、吹出し口を加湿フィルターの直近上部に設けたことにより、加湿フィルター通過時の抵抗が少ないため、通過後の湿風の流速があまり遅くならず、さらに吹出し口が加湿フィルターの上部に有るため、加湿温風を手や顔の近くまで吹出すことができる。
【００２４】
（実施例２）
図４は制御手段９が予め記憶している送風路切替手段８の不規則な繰返しの位置パターンの１例である。加湿温風時には、制御手段９は図４に示した位置パターンに従い送風路切替手段８を制御する。
【００２５】
図５は上記位置パターンで送風路切替手段８を制御した時の、製品中央前方６０ｃｍの絶対湿度のパワースペクトルである。図５に示すように、絶対湿度のパワースペクトルは周波数にほぼ反比例し、１／ｆゆらぎ特性を有している。
【００２６】
このように本発明の実施例２の加湿機能付き温風機によれば、送風路切替手段８の位置制御により、加湿温風の含有水分量を多くしたり少なく、あるいはなくしたりすることができ、多くなったときに、しっとり感、潤い感が実感しやすくなるとともに、１／ｆの自然な変化の快適な加湿温風が得られる。
【００２７】
【発明の効果】
以上の実施例から明らかなように、本発明によれば、温風機本体に、ヒーターと、前記ヒーターで加熱された温風を送風する送風ファンと、前記送風ファンからの温風を吹出口に導く温風ダクトと、加湿装置と、前記温風ダクトの途中からバイパスされ加湿装置を介して設けられる加湿ダクトと、前記温風ダクトと加湿ダクトの分岐部に送風ファンからの温風の送風路を切替える送風路切替手段を設け、加湿時には温風流路を狭くして温風流速を速くする構成としたので、温風は吹出し口の手前で、加湿ダクトを通り加湿装置で加湿された湿風と合流し、風速の遅い湿風の風速を速め、吹出し口から加湿温風として吹出され、湿風のみに比べ吹出し風速は速くなり、加湿温風効果を遠方（使用者の位置）まで届かせることができる。
【００２８】
また、加湿ダクトにより加湿装置に導かれた湿風は、吹出し口の手前で、温風とほぼ角度９０°で合流させており、混合が促進されているので、温度むらのない、心地良い加湿温風を吹出すことができる。
【００２９】
また加湿フィルターの通風路の出入り口を直交させるとともに、吹出し口を加湿フィルターの直近上部に設けたことにより、加湿フィルター通過時の抵抗が少ないため、通過後の湿風の流速があまり遅くならず、さらに吹出し口が加湿フィルターの上部に有るため、加湿温風を手や顔の近くまで吹出すことができ、手や顔の乾燥を抑制できる。
【００３０】
また送風路切替手段の位置制御により、加湿温風の含有水分量を多くしたり少なく、あるいはなくしたりすることができ、多くなったときに、しっとり感、潤い感が実感しやすくなるとともに、含有水分量が１／ｆの自然な変化をする、快適な加湿温風が得られる。
【図面の簡単な説明】
【図１】  本発明の実施例１の加湿機能付き温風機の断面図
【図２】  同実施例１の実験状況を示す図
【図３】  同実施例１の前腕の角質水分率変化を示すグラフ
【図４】  同実施例２の送風切替手段の位置パターンを示す図
【図５】  同実施例２の絶対湿度のパワースペクトル図
【図６】  同従来の加湿機能付き温風機の構成を示す断面図
【符号の説明】
１    本体
２    ヒーター
３    送風ファン
４    吹出し口
５    温風ダクト
６    加湿装置
７    加湿ダクト
８    送風回路切替手段
９    混合部
１０  開口部
【図１】
0004538923.tif 000002
【図２】
0004538923.tif 000003
【図３】
0004538923.tif 000004
【図４】
0004538923.tif 000005
【図５】
0004538923.tif 000006
【図６】
0004538923.tif 000007